Podtech/llm-jp-corpus-v4-ja_patent huggingface dataset:
(57)【要約】【課題】使い切れないコーキング材又は、シーリング材の硬化を防止し、異なる形状のノズルに簡単に着脱させることが可能なキャップを目的とした。【解決手段】硬化する場所は、ノズルの先端部分なのでノズルより少し小さく又、大きな摩擦力と収縮性の特質を持ったゴムキャップを装着することにより、中のコーキング材又は、シーリング材の硬化を防止することができる。【選択図】図１
2012116175.tif 000002
【特許請求の範囲】
【請求項１】
コーキング材または、シーリング材のノズルの先端を刃物などで切って使用した後に、ビニールテープなどでノズルの先端を巻いて中身の硬化を防止しようとするが、日数がたつと先端が硬化してしまい、次に使用する時は、針金などでつついて固まりを取り除いてから使用しなければならないわずらわしさを解消するためのゴムキャップ。
【請求項２】
材質がゴムのため形状の違うコーキング材または、シーリング材のノズルに密着させ合わせることのできるゴムキャップ。
【請求項３】
クルクルと巻き上げ又は、巻き下げしながら着脱容易なゴムキャップ。
【請求項４】
ゴムの大きな摩擦力と吸着性により外れにくいゴムキャップ。
【発明の詳細な説明】
【技術分野】
【０００１】  本発明は、いろいろなタイプのコーキング材又は、シーリング材のノズルの硬化を簡単に防止するためのキャップに関するものである。
【背景技術】
【０００２】  コーキング材又は、シーリング材などのカートリッジをコーキングガンに装着し、ノズルの先端を切断して作業をするわけだが、一度に使い切るばかりではなく日数を置いて幾度にも使う場合も多く、作業をし終えた後ノズルに付いた中身をウエスなどで拭ってからビニールテープなどでノズルの先端を巻いて保護していた。
【発明の概要】
【発明が解決しようとする課題】
【０００３】  しかし、日数がたつとノズルの中が硬化してしまい、次の作業前にノズルの先端から針金などを通して硬化によるつまりを取り除いてからでないと作業することができなかった。
【課題を解決するための手段】
【００４】本発明はフリーサイズゴム製キャップを使用することにより、それぞれ形状の違うノズルに簡単に着脱、密着でき硬化を防止することができる。
【発明の効果】
【０００５】コーキング材又は、シーリング材の硬化を防止することができる。
【図面の簡単な説明】
【００６】
【図１】図１は側面図である。
【図２】図２は斜め下方からの図である。
【図１】
2012116175.tif 000003
【図２】
2012116175.tif 000004
(57)【要約】【課題】  消しゴムが減った時、使用をさまたげるカバーケースの一部を容易に取り除き、継続使用を可能にする。【解決手段】  消しゴムのカバーケースにタグを設けて、ミシン目を入れ消しゴム本体に装着する。【選択図】図１
2012116174.tif 000002
【特許請求の範囲】
【請求項１】
消しゴムのカバーケースにタグを設けて、ミシン目を入れていることを特徴とする消しゴム用カバーケース。
【請求項２】
タグとタグの接する角の部分にスリットを入れ、該スリットの先端から連続したミシン目を入れてなる請求項１記載のカバーケース。
【請求項３】
タグとタグの接する角の部分にスリットを入れ、該スリットの先端から連続してタグとタグの間を接続面まで切りこみを入れ、該切りこみから連続してミシン目を入れてなる請求項１記載のカバーケース。
【発明の詳細な説明】
【技術分野】
【０００１】  切り離し用タグを設けたミシン目入り消しゴム用カバーケース
【背景技術】
【０００２】  従来の消しゴムは、カバーケースが磨耗して使用する障害になっても一般的にハサミやナイフ等を使用しなければ、その一部を切り離すことが困難である。先行技術文献などによれば、ミシン目を入れてカバーケースの一部を一応取り除き易くはなっているが、一回の動作で切り離すことはできていない。
【先行技術文献】
【特許文献】
【０００３】
【特許文献１】  特許公開平１０−１１９４９０
【特許文献２】  実用新案公開平０７−０３５０９９
【特許文献３】  実用新案公開平０５−０９１８８９
【特許文献４】  登録実用新案３０２５２９５
【発明の概要】
【発明が解決しようとする課題】
【０００４】  消しゴムが減った時、使用をさまたげるカバーケースの一部を一回の動作で取り除き、継続して使用を可能にする。
【課題を解決するための手段】
【０００５】  本発明は、カバーケースの素材に切り離し用タグを設けて、同時にミシン目を入れて、消しゴム本体に装着する。
【発明の効果】
【０００６】  消しゴムは、使用により消しゴム本体が減って、余分なカバーケースのため使用をさまたげられる場合が高い確率で発生する。本発明は、これを解決するために切り離し用タグを設けた。指先で剥がすだけの一回の動作のみで、ミシン目に沿って適宜切り離すことができるため極めて便利である。手もとにハサミやナイフが無くても安心して、消しゴムの使用を継続できる。特に幼稚園児や小学校低学年の場合でも、自分自身で対応できて安全安心である。
又、該カバーケースは、必要に応じて切り離しができるため、新たに鉛筆などと同じ形状の消しゴムも可能となり、筆記用具と一緒に格納や持ち運びができて便利である。
【図面の簡単な説明】
【０００７】
【図１】斜視図及びカバーケースの構造図
【図２】カバーケースを装着した時の断面図
【図３】タグを使用する時の断面図
【図４】請求項２記載のスリットとミシン目の組合せによるタグ切り離し部分の拡大図
【図５】請求項３記載のスリット、切りこみとミシン目の組合せによるタグ切り離し部分の拡大図
【発明を実施するための形態】
【０００８】  １、消しゴム本体１の周囲を覆う大きさをもつ、少なくとも一面が接続面として、重なり合うカバーケースである。
２、接続面は非接着部分４と接着部分５から構成され、接着部分５は内側に設け、非接着部分４は外側に設ける。
３、カバーケースの接続面に直交する角度で全周囲をまわるミシン目３を入れる。該ミシン目３は、間隔をあけて適宜本数を入れる。
４、図４に示すとおり、接続面にミシン目３が入りタグ７が形成される。該タグとタグの接する角の部分にスリット８を入れる。該スリット８の先端とミシン目３が連続する。
５、また図５に示すとおり、接続面に設けるミシン目３は該スリット８の先端に連続してタグとタグの間を接続面の折り曲げている部分まで切りこみ９を入れ、スリット８に切りこみ９とミシン目３が連続することも可能である。
【産業上の利用可能性】
【０００９】  消しゴムは幼稚園、学校、事務所など鉛筆、シャープペンとともに必需品の一つである。特に低年令児童への安全性の向上が期待できる。カバーケースが一回の動作により消しゴムの使用が継続して可能となり、学業への集中や一般事務の効率化が図れる。
【符号の説明】
【００１０】    １、消しゴム本体
２、カバーケース
３、ミシン目
４、非接着部分
５、接着部分
６、折り目
７、タグ
８、スリット
９、切りこみ
【図１】
2012116174.tif 000003
【図２】
2012116174.tif 000004
【図３】
2012116174.tif 000005
【図４】
2012116174.tif 000006
【図５】
2012116174.tif 000007
(57)【要約】【課題】  木材の選木、寸法チェック、建築建設部材等の目印チェックについては、従来よりチョーク等目印に使用する用具を単体でポケット、その他作業現場周囲に置きその都度、必要に応じ手に取り使用している。今回チョーク等のマーキング用品と巻取り具を一体化し、自身の衣服の一部に取り付けることにより煩雑な作業欠点を解決しようとするものである。【解決手段】  熱収縮性材料から成るチューブとチューブに挿入される筆記用具から構成され本体と、本体に連結される係着手段を含んで成り、チューブと筆記用具がチューブを熱収縮されることによって密着していることを特徴とするマーキング用具である。【選択図】図１
2012116177.tif 000002
【特許請求の範囲】
【請求項１】
熱収縮性材料から成るチューブとチューブに挿入される筆記用具から構成される本体と、本体に連結される係着手段を含んで成り、チューブと筆記用具がチューブを熱収縮されることによって密着していることを特徴とするマーキング用具。
【発明の詳細な説明】
【技術分野】
【０００１】  本発明は、巻込具とチョーク・鉛筆等をセットにし、リールのフック等を胸ポケット等に差しチェック作業を行った後、リールを利用し自動的に収縮するマーキング用具に関するものである。
【背景技術】
【０００２】  木材の選木、寸法チェック、建築建設部材等の目印チェックには白ボク、チョーク等で目印をするのにチョーク等を単体で持ち、その都度チョーク等をポケット、その他体より離して置き使用していた。
【先行技術文献】
【特許文献】
【０００３】
【特許文献１】  特開２００６−７５９５５号公報
【発明の開示】
【発明が解決しようとする課題】
【０００４】  特開２００６−７５９５５の保持用具とその接続アタッチメントは開口部より差し込むのみの保持用具であります。今まで木材の選木、寸法チェック、建築建設部材等の目印、寸法チェックの際チョーク等目印に使用する用具を単体でポケット、その他作業現場周囲に置きその都度、必要に応じ手に取り使用し、使用後元の場所等に戻すなど、繰り返していた。今回チョーク等のチェック用具を熱収縮チューブにより密着し、リールと一体化し、自身の作業服の一部に取り付けることにより前述の煩雑な作業欠点を解決できる用具を提供することにある。
【課題を解決するための手段】
【０００５】  本発明は熱収縮性材料から成るチューブとチューブに挿入される筆記用具から構成され本体と、本体に連結される係着手段を含んで成り、チューブと筆記用具がチューブを熱収縮されることによって密着していることを特徴とするマーキング用具である。
【発明の効果】
【０００６】  請求項１の発明に係るマーキング用具によれば、今までマーキング用品単体で自身の衣類のポケット、その他作業場所内に置いて使用していた。マーキング用具をフックにより作業時はいつも自身の衣類に取り付けることによりマーキング本体を鉛筆を使用するように持ち、マーキングする場所に手動で伸ばし、マーキングを行い、マーキング完了後、手を離すと自動収縮によりマーキング用具は元の位置に戻ることができ、簡単そうで大変手間のかかるマーキング行為の効率化が図れる。チョーク部分が消耗してきた場合は熱処理で収縮し密着と強度をあげるため使用しているチューブを適宜カットしチョークを露出し使用する。【０００７】  請求項１に係る熱収縮チューブによればチョーク本体の補強とチョークの消耗に合わせ、カットして使用することによりチョークの使用長さ毎に最適のマーキング、接着圧を生み、適切なマーキングの着印ができる。【０００８】  請求項１に係る、マーキング用具は、マーキング時の体形の変化に対し、自由自在最短の手作業でマーキング作業ができる。
【図面の簡単な説明】
【０００９】
【図１】  本発明に係るマーキング用具の好ましい実施形態を示す外観斜視図である。
【図２】  本発明に係る装着使用時の好ましい実施形態を示す、外観斜視図である。
【図３】  本発明に係るチョーク使用時のマーキング部分の好ましい断面図である。
【発明を実施するための形態】
【００１０】  今まで単体で利用していたチョーク、クレヨン、鉛筆、マジック、ボールペン、マーキング用の用具で自動収縮リールを結んで一体に使用できる状態にする。
【実施例】
【００１１】  図１、図２と図３で一実施例を説明する。本発明は熱収縮性材料から成るチューブ７とチューブ７に挿入される筆記用具９から構成される本体４と本体４と連結される係着手段２を含んで成り、チューブ７と筆記用具９がチューブ７を熱収縮されることによって密着していることを特徴とするマーキング用具１０である。フック２を胸ポケットに差し込みマーキング本体４を鉛筆を持つように持ち、マーキング行為を行うと、自動巻取りの伸縮リール線５が伸び、マーキング位置でマーキングを行う。マーキング作業が終わり手を離せば筆記用具９は自動的に元の胸ポケットに戻り、どのような作業体形でも次のマーキング作業に移ることができる。チョーク露出部８が消耗してきた場合は熱処理で収縮し密着と強度をあげるため使用しているチューブ７を適宜カットしチョークを露出し使用する。【００１２】  煩雑な課題を解決するための手段として、請求項１の発明に係るマーキング用具１０はチョーク、クレヨン、鉛筆、マジック、ボールペン、マーキング用の用具などを熱収縮チューブの収縮により密着度、補強度を増し、自動収縮のリール本体１と糸状態の糸、紐、ロープ、ワイヤなどで結んだ一体型の総称である。【００１３】  請求項１に係る図１〜図３はチョークの場合の装置を想定したもので、チョークの連結を容易にできるキャップ６を使用する。チョーク部分が消耗した場合はチューブ７を適宜カットし、チョークを出して使用する。又、鉛筆などをチョークに換え使用する場合も一体化を図るものは発明の名称にすべて属するものである。【００１４】  請求項１の係着手段とはフック２でリール本体１を衣服に取り付ける名称の総称である。
【産業上の利用可能性】
【００１５】  本発明の前述、一実施例の如き構成からなるものは、種々の産業上での利用が可能でいつも身近で利用したい器具と自動巻取リールをセットすることで繰り返し作業が円滑に行え、作業の効率化が図れる。
【符号の説明】
【００１６】  １    リール本体
２    フック
３    むすび糸
４    マーキング本体
５    伸縮リール線
６    キャップ
７    チューブ
８    チョーク露出部
９    筆記用具
１０    マーキング用具
【図１】
2012116177.tif 000003
【図２】
2012116177.tif 000004
【図３】
2012116177.tif 000005
(57)【要約】【課題】作業中にカッターやはさみなどが手元から離れ、すぐ見つけられなかったり、紐の先端が玉紐の中に入り込んだりこんがらがって掴みにくい事があった。本発明は、カッターが一体型で常に紐の先端の掴みしろが出ている紐カッターを提供する。【解決手段】略コの字型の挟持体１であり、側面片８の端部から連設されている挟持片３と、他方の端部から連設された挟持片７からなっており、挟持片３の端部に紐通し穴４が設けられており、挟持片３及び挟持片７のいずれか又はそれぞれの端部には中空状の軸体５又は６が設けられており、側面片の略中央部分にカッター部９が設けられており、紐通し穴４とカッター部との間に保持部２を設ける。【選択図】図１
2012116657.tif 000002
【特許請求の範囲】
【請求項１】
開閉自在な略コの字型の挟持体１であり、側面片８の端部から連設されている挟持片３と、他方の端部から連設された挟持片７からなっており、挟持片３の端部に紐通し穴４が設けられており、挟持片３及び挟持片７のいずれか又はそれぞれの端部には中空状の軸体５又は６が設けられており、側面片の略中央部分にカッター部９が設けられ、紐通し穴４とカッター部との間に保持部２を設けたことを特徴とする掴みしろが便利な玉巻きＰＰ紐カッター。
【請求項２】
挟持体１が弾性素材からなることを特徴とする請求項１記載の掴みしろが便利な玉巻きＰＰ紐カッター。
【請求項３】
挟持体１の側面片８が弾性素材から、挟持片３及び挟持片７に合成樹脂を用いたことを特徴とする請求項１記載の掴みしろが便利な玉巻きＰＰ紐カッター。
【発明の詳細な説明】
【技術分野】
【０００１】  本発明は、玉巻きされたＰＰ紐の切断に関するものである。
【背景技術】
【０００２】  従来、ＰＰ紐を切るには別にカッターやはさみを用意して切断していた。また切断された紐の先端部分が見つけられず、すぐに掴めない事が多かった。
なお、紐端部をケース内に戻す作業を迅速に行える玉紐ケースを提供する発明が知られている。（特許文献１）
【先行技術文献】
【特許文献】
【０００３】
【特許文献１】特開２００５−３４３５００号公報
【発明の概要】
【発明が解決しようとする課題】
【０００４】  作業中にカッターやはさみなどが手元から離れ、すぐ見つけられなかったり、紐の先端が玉紐の中に入り込んだりこんがらがって掴みにくい事があった。
本発明は、以上の問題点を解決するためになされたものである。
【課題を解決するための手段】
【０００５】  略コの字型の挟持体１であり、側面片８の端部から連設されている挟持片３と、他方の端部から連設された挟持片７からなっており、挟持片３の端部に紐通し穴４が設けられており、挟持片３及び挟持片７のいずれか又はそれぞれの端部には中空状の軸体５又は６が設けられており、側面片の略中央部分にカッター部９が設けられており、紐通し穴４とカッター部との間に保持部２を設ける。
以上の構成よりなる掴みしろが便利な玉巻きＰＰ紐カッター。
【発明の効果】
【０００６】  使用の際、ＰＰ紐の先端が適度な長さで常に出ているので簡単に掴め、カッターが一体型なので他の切断器具を用意したり探したりする煩わしさがなくなる。
【図面の簡単な説明】
【０００７】
【図１】本発明の斜視図
【図２】カッター部の拡大図
【図３】弾力性がある本体を広げた形態を示す図
【図４】本発明の使用形態を示す斜視図
【図５】挟持体１を開閉させる方式について示す斜視図  （ａ）ヒンジ方式  （ｂ）スライド方式  （ｃ）回転方式
【図６】軸体を設ける説明図  （ａ）軸体を下側に設けた図  （ｂ）軸体を上側に設けた図
【発明を実施するための形態】
【０００８】  弾性素材からなる挟持体１であり、側面片８の端部から連設されている挟持片３と、他方の端部から連設された挟持片７からなっており、断片形状が略コの字状を形成している。挟持片３と挟持片７の端部にはそれぞれ軸体５、６が設けられており、軸体５は内部にビニール紐を通すことができるよう中空状となっている。また、挟持片３の軸体５を設ける側の端部には紐通し穴４が開いており、紐は軸体５の中空部を通って、挟持体１の外側へ抜ける構造となっている。なお、軸体５、６はそれぞれ長さ４０ミリメートル前後の筒状で、その軸体５と６の間隔はおよそ３５ミリメートル程度となっている。
【０００９】  ここでいう弾性素材は、硬質ゴムやポリエチレン、ポリカーボネイトなど、変形しても復元する素材を示す。挟持体１すべてに使用することにより、挟持体１が開閉自在となる。または、弾性素材を側面片８にのみ使用し、挟持片３および挟持片７には合成樹脂を用いることも可能である。
【００１０】  前記軸体を、挟持片３および挟持片７にそれぞれ設ける他に、いずれかの挟持片に任意の長さの軸体を設ける手段も可能である（図６参照）。この時の長さとしては、玉紐を保持できる長さとし、つまり両挟持片間相当の長さが好ましい。
【００１１】  側面片８の外側略中央にはカッター部９が設けられている。カッター部９は断面形状が略Ｌ字状を形成する枠体１０によって保持されており、カッター刃１１は下方、すなわち挟持片７側へ向いている。枠体１０と側面片８の間隔は安全上、作業者の指がカッター刃に触れないよう狭くなっている。
【００１２】  保持部２は挟持片３に設けた紐通し穴４と、側面片８に設けたカッター部の間の挟持体１の外側に設けるのが好ましい。ここでいう保持部２は細い溝などで紐を挟み、紐が出たり戻ったりしない構造とする。
【００１３】  本発明を使用する時は、まず、紐の先端を軸体５の下側から紐通し穴４に通し、挟持片３の上面に出す。次に弾力性がある挟持体本体を広げて開閉させ、玉紐を軸体５、６の間に設置する（図３参照）。切断の際には紐を任意の長さまで引き出し、保持部２に当てがいながらカッター部９の下側より差し入れ、引き上げるようにしてカッター刃１１によって切断する（図４参照）。切断後の紐は保持部２の細い溝に挟まり固定され、カッター刃までの間の紐部分が数センチメートル残るので、再使用の際には掴み易い状態となっている。
【００１４】  玉紐を本体に設置するその他の手段としては、側面片８と挟持片３との連結部分にヒンジを設けるヒンジ方式（図５ａ参照）や側面片８を伸縮可能なスライド構造にするスライド方式（図５ｂ参照）、または側面片８の上部に回転軸を設け挟持片３を水平方向に回転させる回転方式（図５ｃ参照）なども考えられる。
【符号の説明】
【００１５】  挟持体１、保持部２、挟持片３、紐通し穴４、軸体５、軸体６、挟持片７、側面片８、カッター部９、枠体１０、カッター刃１１
【図１】
2012116657.tif 000003
【図２】
2012116657.tif 000004
【図３】
2012116657.tif 000005
【図４】
2012116657.tif 000006
【図５】
2012116657.tif 000007
【図６】
2012116657.tif 000008
(57)【要約】      （修正有）【課題】紫外線を受けても異臭の発生を抑えることができる容器を提供する。【解決手段】ポリオレフィン系樹脂を主成分とする樹脂材料で形成された容器であって、前記樹脂材料に、ヒンダードアミン系光安定剤が配合されている。配合するヒンダードアミン系光安定剤の分子量は、１０００以上（高分子量タイプ）好ましくは２０００以上となっている。本発明に係る容器は、紫外線を受けても、例えば３−ヘプタノン等のケトン類の生成が抑えられ、異臭の発生を抑制することができる。【選択図】なし【特許請求の範囲】
【請求項１】
ポリオレフィン系樹脂を主成分とする樹脂材料で形成された容器であって、
前記樹脂材料に、ヒンダードアミン系光安定剤が配合されていることを特徴とする容器。
【請求項２】
請求項１記載の容器であって、
ポリエチレン樹脂を主成分とする樹脂材料で形成されていることを特徴とする容器。
【請求項３】
請求項１または２に記載の容器であって、
前記ヒンダードアミン系光安定剤の分子量が１０００以上であることを特徴とする容器。
【発明の詳細な説明】
【技術分野】
【０００１】
本発明は、容器に関するものである。
【背景技術】
【０００２】
例えば食品や医薬品等を収容する容器として、従来から、例えば下記特許文献１に示されるように、ポリオレフィン系樹脂を主成分とする樹脂材料で形成された容器が知られている。
【先行技術文献】
【特許文献】
【０００３】
【特許文献１】実用新案登録第３１２２２４２号公報
【発明の概要】
【発明が解決しようとする課題】
【０００４】
しかしながら、前記従来の容器では、例えば太陽光や蛍光灯等からの紫外線を受けることで、例えば３−ヘプタノン等のケトン類が生成され、異臭を発生するおそれがあった。
【０００５】
本発明は、このような事情を考慮してなされたもので、紫外線を受けても異臭の発生を抑えることができる容器を提供することを目的とする。
【課題を解決するための手段】
【０００６】
上記課題を解決して、このような目的を達成するために、本発明の容器は、ポリオレフィン系樹脂を主成分とする樹脂材料で形成された容器であって、前記樹脂材料に、ヒンダードアミン系光安定剤が配合されていることを特徴とする。
【０００７】
この発明によれば、ポリオレフィン系樹脂を主成分とする樹脂材料に、ヒンダードアミン系光安定剤が配合されているので、紫外線を受けても、例えば３−ヘプタノン等のケトン類の生成が抑えられ、異臭の発生を抑制することができる。
【０００８】
ここで、前記容器は、ポリエチレン樹脂を主成分とする樹脂材料で形成されてもよい。
【０００９】
この場合、容器がポリエチレン樹脂を主成分とする樹脂材料で形成されているので、異臭の発生を確実に抑えることができる。
【００１０】
また、前記ヒンダードアミン系光安定剤の分子量が１０００以上であってもよい。
【００１１】
この場合、ヒンダードアミン系光安定剤の分子量が１０００以上であるので、異臭の発生を確実に抑えることができる。
【発明の効果】
【００１２】
本発明によれば、紫外線を受けても異臭の発生を抑えることができる。
【発明を実施するための形態】
【００１３】
本実施形態に係る容器は、ポリオレフィン系樹脂を主成分とする樹脂材料で形成され、この樹脂材料に、ヒンダードアミン系光安定剤が配合されている。
ポリオレフィン系樹脂としては、例えばポリエチレン樹脂、ポリプロピレン樹脂、あるいはプロピレンを主体とした共重合体を使用でき、またこれらのポリオレフィン系樹脂を主体としたブレンド材を採用してもよい。なお、容器を積層構造にした場合には、少なくとも最外層を形成する樹脂材料に、ヒンダードアミン系光安定剤を配合してもよい。
前記樹脂材料に配合するヒンダードアミン系光安定剤の分子量は、１０００以上（高分子量タイプ）好ましくは２０００以上となっている。
ヒンダードアミン系光安定剤は、例えば、分子量が２０００〜３１００とされ、２０℃での比重が１．０とされ、２５℃での蒸気圧が６×１０−１０Ｐａとなっている。このようなヒンダードアミン系光安定剤としては、例えば、チバ・スペシャルティ・ケミカルズ株式会社製のキマソーブ９４４を採用してもよい。また、ヒンダードアミン系光安定剤を０．１ｗｔ％以下、好ましくは０．０５ｗｔ％〜０．１ｗｔ％配合してもよい。
なお、この容器に食品や医薬品等を収容する場合には、米国食品医薬局（ＦＤＡ）に認可されているヒンダードアミン系光安定剤を使用する必要がある。
【００１４】
以上説明したように、本実施形態による容器によれば、ポリオレフィン系樹脂を主成分とする樹脂材料に、ヒンダードアミン系光安定剤が配合されているので、紫外線を受けても、例えば３−ヘプタノン等のケトン類の生成が抑えられ、異臭の発生を抑制することができる。
また、容器がポリエチレン樹脂を主成分とする樹脂材料で形成されているので、異臭の発生を確実に抑えることができる。
さらに、ヒンダードアミン系光安定剤の分子量が１０００以上であるので、異臭の発生を確実に抑えることができる。
【００１５】
次に、以上説明した作用効果の検証試験について説明する。
【００１６】
従来例として、ポリエチレン樹脂を主成分とし、かつ光安定剤や紫外線吸収剤が配合されていない樹脂材料で形成した容器を採用し、比較例として、ポリエチレン樹脂を主成分とし、かつ紫外線吸収剤としてチヌビン３２６（チバ・スペシャルティ・ケミカルズ株式会社製）が０．１ｗｔ％配合された樹脂材料で形成した容器を採用し、実施例１として、ポリエチレン樹脂を主成分とし、かつキマソーブ９４４（チバ・スペシャルティ・ケミカルズ株式会社製）が０．０５ｗｔ％配合された樹脂材料で形成した容器を採用し、実施例２として、ポリエチレン樹脂を主成分とし、かつキマソーブ９４４（チバ・スペシャルティ・ケミカルズ株式会社製）が０．１０ｗｔ％配合された樹脂材料で形成した容器を採用した。
なお、比較例の容器で採用したチヌビン３２６の分子量は３１６となっている。
【００１７】
そして、これらの実施例１、２、比較例、および従来例の各容器を、夏季に室内で直射日光の当る場所に、二週間放置した後に、実際に臭いを嗅ぐ官能評価と、例えばガスクロマトグラフィー法等を適用して、臭気成分である例えば３−ヘプタノン等のケトン類の有無を調べる機器分析評価と、を行った。
その結果、実施例１、２の各容器では、無臭でありケトン類も検出されず、従来例および比較例の各容器では、臭気を発生していてケトン類も検出されたことが確認された。
【００１８】
本発明は上記した実施の形態に限定されるものではなく、その趣旨を逸脱しない範囲で適宜変更可能である。
前記容器としては、例えばボトル、カップ、チューブ等、種々の形態のものを採用することができる。
【産業上の利用可能性】
【００１９】
紫外線を受けても異臭の発生を抑えることができる。
(57)【要約】      （修正有）【課題】スナック菓子や熱湯を注ぎ入れて作る即席麺などの容器は、上部を密閉する蓋フイルムを一部を残して剥がし上げ、その後蓋フイルムを戻し下げるなら、剥がした時の蓋フイルムの反り上がりによって、つまみ部をカップ縁下に折り曲げても、材質上それほどのフック効果がなく、つまみ部辺りから蓋フイルムが開いてしまうことがあり、スナック菓子がこぼれ出たり、熱湯を入れたカップ内の熱温が逃げてしまう。【解決手段】つまみ部３の上面に、極薄のアルミ金属帯小片４を張り合わせ、カップ上部の縁下で、そのアルミ金属帯小片をての字状に押圧形成する。それによって一度剥がし上げた蓋フイルム２を後になって下げるなら、容器上部縁下でアルミ帯小片を親指の頭で軽く押圧し、ての字状フックを復元させる。それによって、蓋フイルムのめくれ上がりが容易に解消される。又、親指の頭で軽くつまみ部を押し上げるだけで、アルミ帯小片のフック外しが出来る。【選択図】図２
2012116562.tif 000002
【特許請求の範囲】
【請求項１】
上部を密閉する剥がし式蓋フイルムと一体形成する突き出しつまみ部上面に、後にての字状に折り曲げるべきフック用極薄の金属帯小片、もしくは既にての字状に形成したフック用小片を形成する容器。
【発明の詳細な説明】
【技術分野】
【０００１】本発明は、スナック菓子や熱湯を注ぎ入れる即席麺等を入れる容器に関するものである。
【発明の概要】
【発明が解決しようとする課題】
【０００２】  従来、スナック菓子や即席麺等を入れた紙カップ等の上部に施した剥がし式蓋フイルムは、接着部を多少残しカップ縁よりめくり上げた後、再度蓋フイルムをかぶせようとする場合、その蓋フイルムに一体形成する突き出しつまみ部をカップ縁の下側に折って蓋フイルムを固定しようとすると、これまでのつまみ部ではは思うにそのためのフック効果が得られず、その部分より蓋フイルムはめくれ上がってしまう。
【問題を解決するための手段】
【０００３】  さのため本発明は、図１に示す様、極薄いアルミ帯小片４を、食品等の入るカップ本体１の上部にかぶせ密封する剥がし式蓋フイルム２に一体形成する突き出しつまみ部３の上面に張り合わせるもので、次には図２に示す様、そのアルミ帯板小片４を、カップ上部縁下で矢印Ａ方向より押圧し「て」の字状に折り曲げる。
【発明の効果】
【０００４】  ての字状に折り曲げたアルミ帯小片を張り合わせたつまみ部を上げ、その部分よりある程度を残し蓋フイルムを剥がすなら、その後に再度蓋フイルムをカップ上部縁に伏せようとするなら、蓋剥がしでやや伸びた形状のアルミ帯小片は、その中央部を指先で軽く押圧つまむことによって、突き出しつまみ部が蓋開け前同様にカップ上部縁に固定出来る。それによって、本発明容器を倒しても中にあるスナック菓子等が外にこぼれ出ない。又、熱湯を注ぎ入れ、時間待ちをするたカップめん等の蓋が上がって、熱湯の熱温が不都合に下がることが解消されるもので、加えて製造する上でも本発明は極めて安価にそれを施すことが出来る。
【図面の簡単な説明】
【０００５】
【図１】  本発明の実施形態の一部を示す斜視図
【図２】  本発明の実施形態を示す斜視図
【符号の説明】
【０００６】１  容器本体
２  剥がし式蓋フイルム
３  突き出しつまみ部
４  アルミ金属帯小片
【図１】
2012116562.tif 000003
【図２】
2012116562.tif 000004
(57)【要約】      （修正有）【課題】手提げ袋において、商品挿入後蓋部を封緘する手段がなされていない。手提げ袋の蓋部において、商品挿入後蓋部を封緘することに不便を感じることがある。商品挿入後、袋部より商品が袋よりこぼれだすことが多くある。【解決手段】手提げ袋の蓋部内側に粘着剤を塗布する、塗布面に剥離テープを貼り付ける手段をもちいる。さらに、粘着剤塗布面に半円形の切り開き溝を設ける。【選択図】図１
2012116565.tif 000002
【特許請求の範囲】
【請求項１】
手提げ袋の第１パネルと第２パネルを、お互いに重ね合わさった状態で第１パネルと第２パネルの両側部どうし、および、底部が連結された手提げ袋において、
上記手提げ袋の第１パネルの蓋部内側に粘着剤を袋幅方向に塗布する、粘着剤塗布面に剥離テープを貼り付ける。さらに、前記塗布面に半円形の切り開き溝を設けることを特徴とする手提げ袋。
【発明の詳細な説明】
【発明の詳細な説明】
【技術分野】
【０００１】  本発明は、手提げ袋の蓋部に関する物である。
【従来の技術とその問題点】
【０００２】  手提げ袋において、商品挿入後蓋部を封緘する手段がなされていない。
【０００３】  手提げ袋に商品挿入後蓋部を封緘することに不便を感じることがある。
【０００４】  手提げ袋において、蓋部にホック、プラスチックチャツク等が付けられた物が多くあるが、加工コストが高価である。
【解決手段】
【０００５】  本発明において、手提げ袋の蓋部内側に粘着剤を塗布する、さらに、粘着剤塗布面に剥離テープを貼り付ける手段を用いる。
【０００６】  上記粘着剤塗布面に半円形の切り開き溝を設ける手段を用いる。
【発明の開示】
【発明が解決しょうとする課題】
【０００７】  上記の事情によって、手提げ袋に商品挿入後蓋部を封緘することを容易に封緘可能にすることを課題とする。
【０００８】  手提げ袋において、商品挿入後蓋部より商品がこぼれたすことをなくする。
【発明を実施するための最良の形態】
【０００９】  以下、本発明を実施するための最良の形態について、図面を参照して具体的に説明する。【００１０】  手提げ袋の第１パネルと第２パネルを、お互いに重ね合わさった状態で第１パネルと第２パネルの両側部どうし、および、底部が連結された、手提げ袋において、【００１１】  上記手提げ袋の第１パネルの蓋部内側に袋幅方向に粘着剤を塗布する。【００１２】  上記粘着剤塗布面に剥離テープを貼り付ける。【００１３】  さらに、前記粘着剤塗布面に半円形の切り開き溝を設ける。【００１４】  上記粘着剤に変わる、両面粘着テープを使用する場合も、本請求の特許範囲に属す。
【発明の効果】
【産業上の利用可能性】
【００１５】  従来の手提げ袋において、商品挿入後蓋部を封緘する手段がなされていない。【００１６】  本発明において、手提げ袋の第１パネル蓋部内側に粘着剤を塗布する、粘着剤塗布面に剥離テープを貼り付けられている。【００１７】  上記第１パネルの粘着剤が、封緘時まで、袋、または、挿入商品に付かないように、剥離テープを貼り付ける。【００１８】  商品挿入後上記第１パネルの粘着剤塗布面の剥離テープを剥がし、第２パネルの袋内側に貼り付ける。【００１９】  第２パネルの半円形切り開き部を第１パネルの袋内側に折り曲げる。【００２０】  第１パネルの半円形切り開き部の剥離テープを剥がし、上記第２パネルの袋外側に折り曲げて貼り付ける。【００２１】  上記蓋部は粘着剤塗布面によって、第１パネルと第２パネルが張り合わされている。【００２２】  さらに、第１パネルの半円形切り開き部と、第２パネルの半円形切り開き部が袋外側に貼り付けられている、よって、第１パネルと第２パネルが離れる事がない。【００２３】  上記によって、手提げ袋の商品が袋内よりこぼれだすことがない。【００２４】  第１パネルの半円形切り開き部と、第２パネルの半円形切り開き部が手提げ袋の手提げ部となる。
【図面の簡単な説明】
【００２５】
【図１】本発明の一例を示す平面図である。
【図２】本発明の図１に示すＸ−Ｘ線にて示す断面図である。
【図３】本発明の図１に示すＸ−Ｘ線にて示す実施例の断面図である。
【図４】本発明の図１に示すＹ−Ｙ線にて示す実施例の断面図である。
【符号の説明】
【００２６】  １  第１パネル
２  第２パネル
３  粘着剤塗布面
４  剥離テープ
５  手提げ部
【図１】
2012116565.tif 000003
【図２】
2012116565.tif 000004
【図３】
2012116565.tif 000005
【図４】
2012116565.tif 000006
(57)【要約】【課題】  封筒上部に提げ手、又は象形部を別途貼り付けなくても、封筒と一体化した封筒を提供する。【解決手段】封筒のベロ部に予め提げ手、又は象形部の輪郭を型抜きすることにより製袋後、上ベロを折れば、封筒の上に提げ手、又は象形部が残る事を特徴とする象形部付封筒。【選択図】図３
2012116561.tif 000002
【特許請求の範囲】
【請求項１】
封筒のベロ部（必要に応じ裏面も）に予め象形部の輪郭を封筒本体の型抜き時に抜く事により、製袋後ベロを折ることにより、象形部が封筒の上部に残る事を特徴とする象形部付封筒。
【発明の詳細な説明】
【技術分野】
【０００１】  本発明は封筒のベロを折り、封をした場合、封筒の上部に象形物を残し提げ手、又は象形部を具現化しようとする封筒の形状に関するものである。
【背景技術】
【０００２】  従来の封筒はベロ部を折って、封をした場合、その上部は平らであり、仮に提げ手や象形部が必要な場合は、別にボール紙等の提げ手部や象形部を貼り付けていた。
【発明の概要】
【発明が解決しようとする課題】
【０００３】  封筒上部に提げ手や象形物が必要な場合は、別に用意した提げ手や象形物を貼り付ける必要があった。
本発明は封筒と一体化し、別途提げ手や象形物の製造及び後加工を不要にしたものである。
【課題を解決するための手段】
【０００４】  封筒のベロ部の一部に提げ手、又は象形部を型抜きして、ベロを折り曲げた時に、提げ手、又は象形部が上に残る様にすることを特徴とする象形部付封筒である。
【発明の効果】
【０００５】  別に提げ手や象形部を用意することなく、封筒の用紙に印刷し型抜く事により封筒の上部に形成できる。又封筒製造工程は従来の封筒と同じである。
従って、別途提げ手や象形部を製造し貼り付ける手間が要らない。
【図面の簡単な説明】
【０００６】
【図１】本発明の封筒の、ベロの中の象形部が型抜きされている場合の展開図
【図２】本発明の封筒の貼り合わせた状態の平面図
【図３】本発明の封筒のベロを折り曲げて象形部が残る状態を示す斜視図
【図４】本発明の封筒のベロを完全に折り曲げた状態を示す表面図
【図５】本発明の封筒の図４における裏面の図
【図６】本発明の封筒の実施例でスカイツリーを象形した図
【図７】本発明の封筒の実施例で提げ手を象形した図
【発明を実施するための形態】
【０００７】  封筒のベロ部に予め象形部を印刷し、封筒全体を型抜きする金型に象形部の抜き型も取り付ける。封筒の型抜き工程で同時に象形部の輪郭も型抜きされる。この型抜きされたものを、製袋機に掛けることにより、従来の封筒と同様に製袋できる。
【実施例１】
【０００８】  千歳飴袋などの提げ手に応用する。
【実施例２】  東京スカイツリーの様な観光名所などの建造物をみやげ物用封筒の上に飛び出す様に成形することによりインパクトのある、みやげもの入れ袋を提供できる。
【符号の説明】
【０００９】１  ベロ
２  前部
３  縦のりひろ
４  裏部
５  底のりひろ
６  象形部
【図１】
2012116561.tif 000003
【図２】
2012116561.tif 000004
【図３】
2012116561.tif 000005
【図４】
2012116561.tif 000006
【図５】
2012116561.tif 000007
【図６】
2012116561.tif 000008
【図７】
2012116561.tif 000009
(57)【要約】【課題】パック食品類の開封やペットボトルの開封は、開封箇所を指先で摘み引き上げたり、回したりして開封していたが、指が濡れていたり、指圧の弱い子供や老人にあってはこれらの開封は極めて難儀であった。  本発明はパック食品類やペットボトルの開封を極めて簡単にするための補助具を提供する。【解決手段】二本のア−ムをバネで繋ぎ二又ア−ムとし、アームの先端部に爪を設けたパック食品類の開封補助具。同時に、円形バネのリング内側に極小の突起部を設けたペットボトル開封補助具。【選択図】図１
2012116567.tif 000002
【特許請求の範囲】
【請求項１】
二本のア−ムをバネで繋ぎ二又ア−ムとし、ア−ムの先端部に爪を設けたパック食品類の開封補助具で同時に、円形バネのリング内側に極小の突起部を設けたペットボトル開封補助具。
【発明の詳細な説明】
【技術分野】
【０００１】  本発明は、食品等のパック商品並びにペットボトルの栓の開封を容易にするパック食品用開封補助具に関するものである。
【背景技術】
【０００２】  今日多く流通している食品等のパック商品は、四角の一角に開封のための耳が設けられており、開封するためにはこの耳を指等で引き上げて開封していた。又、ペットボトル栓の開封においても指先で栓を引き回して開封していた。
【発明の概要】
【発明が解決しょうとする課題】
【０００３】  パック食品等の開封は、パックの一角に設けられた開封用の耳部を、指等で摘み引き上げることで開封するものであるが、指が濡れていたり指圧が弱いとこれの開封は困難であつた。また、ペットボトル各商品の栓の開封についても、指先で栓を引き回して開封するものであるが、やや指先に力を要し子供や老人には開封が難儀であった。
本発明は、以上の問題点を解決するためになされたものである。
【課題を解決するための手段】
【０００４】  二又ア−ムの両先端部にパックの耳部を挟む爪を設け、同時に二又ア−ムの後部は二又ア−ムを開閉自在とするため両ア−ムをバネ具で接続し、このバネ具の円形を利用してペットボトルの栓の開封をおこなう。
以上の構成よりなるパック食品類と、ペットボトル開封の両機能を有する開封補助具である。
【発明の効果】
【０００５】  従来難儀であったパック食品類やペットボトルの栓の開封極めてが容易となる。
【図面の簡単な説明】
【０００６】
【図１】本発明のパック食品類並びに、ペットボトルの栓の開封補助具としての形態を示す斜視図である。
【発明を実地するための形態】
【０００７】    以下、本発明の実施の形態を説明する。
（イ）二又ア−ム（３）の先端に、パック開封爪（４）を設ける。
（ロ）二又ア−ム（３）の後部には、二又ア−ムの開閉を自在になすためのバネ（２）を設ける。
（ハ）バネ（２）の円形の内側であるペットボトル開封リング（１）は、ペットボトルの栓の大きさと合致する。
（ニ）バネ（２）の円形の内側にあたるペットボトル開封リング（１）には、ペットボトルの栓とペットボトル開封リング（１）が確実に噛み合うために極小の、突起部（５）を設ける。
本発明は以上のような構造である。
【符号の説明】
【０００８】  １  ペットボトル開封リング
２  バネ
３  アーム
４  パック開封爪
５  突起部
【図１】
2012116567.tif 000003
(57)【要約】【課題】  熱湯を注いでから数分間出来上がりを待つ必要のあるカップ麺等の食品は、キッチンタイマーや時計合わせをする面倒があった。【解決手段】  本発明は、それらカップ麺等の入る容器に、熱湯を注ぎ入れたことで湯気によって薄手の蓋が熱くなるその熱伝導を利用するもので、その熱の伝わり方によって数分後、偏平に伏せていた極細状や極薄状の小部品装置が、瞬時にして跳ね上がり又はその他の形状変化を見せることによってカップ食品等の出来上がりを示す。【選択図】図１
2012116564.tif 000002
【特許請求の範囲】
【請求項１】
注ぎ込まれた熱湯の湯気熱伝導によって数分後、上部蓋上設けたバネ又は形状記憶の性質を持つ材質等からなる偏平に伏せた熱受け小部品装置が、固定箇所を支点にして瞬時に跳ね上がるなど別形状を見せることによって出来上がりを教える熱湯注入式の即席食品等を入れた容器。
【発明の詳細な説明】
【技術分野】
【０００１】  本発明は、熱湯を注ぎ入れて食する即席麺等のカップに関するものである。
【発明の概要】
【発明が解決しようとする課題】
【０００２】  これまで即席のカップ麺等は、熱湯を注ぎ蓋をした後、キッチンタイマーをセットするか、現時刻にブラスして、出来上がり時間を記憶しなければならない面倒があった。
【課題を解決するための手段】
【０００３】  本発明は、熱湯を入れた即席麺等の容器の薄い蓋に伝わる熱い湯気熱を受け続けることによって、接着部が熱剥離する極薄の跳ね上がりバネ板の小部品装置を、そのカップ蓋上面に張り付ける熱伝導を遅くする小片板上に偏平に設ける。
【発明の効果】
【０００４】  上述した本発明の即席麺等のカップは、熱湯を注ぎ入れ決められた数分がすると、蓋から伝わり続けた熱を受け続けることによって、偏平に伏せた極薄のバネ板小部品の仮固定接着する一端がバネ作用によって瞬時に剥離し、もう一方の接着固定する側を支点にして、バネ板は大きく跳ね上がりを見せるものである。又、極薄の跳ね上がりバネ板を形状記憶合金や同様の性質を持つプラスチック材を用いても、同様に蓋面から伝わる熱によって数分して固定した一端を支点にして、瞬時に元より記憶していた形状に形を変えるものであり、都合上偏平とするための熱剥離する仮接着を施す必要がない。以上の様に本発明は、蓋面熱伝導による跳ね上がりの視覚効果によって、面倒な時計合わせや、タイマー等のセットが不要となる。
【図面の簡単な説明】
【０００５】
【図１】  本発明の実施形態を示す斜視図
【図２】  本発明の効果を示す斜視図
【符号の説明】
【０００６】１  即席麺等の入った容器本体
２  剥離式蓋
３  出米上がりを教える跳ね上がりバネ板
４  バネ板固定端
５  熱伝導を調整するバネ板台
６  熱の伝わり具合とバネ作用によって剥離する仮接着部
【図１】
2012116564.tif 000003
【図２】
2012116564.tif 000004
(57)【要約】【課題】  従来、振り出し容器に入った粉チーズは使用期間中、冷温の状態に置かれると塊が出来易くなり、使用のさい、粉チーズが振り出しにくくなる。【解決手段】  蓋及び振り出し口のあるキャップを外した、粉チーズ振りかけ円筒容器の内側上方に、粉チーズの塊を、粉状に切るための複数の切り羽根を突き出した装置、もしくは極細の金属線を複数横に渡す装置を設けることによって、課題を解決する。    とする。【選択図】図１
2012116563.tif 000002
【特許請求の範囲】
【請求項１】
振り出し口周辺の裏側や、本体内側側面に塊状となった粉チーズ等を切るための羽根を形成した振り出し容器。
【発明の詳細な説明】
【技術分野】
【０００１】  本発明は、塊を解消するための粉チーズ振り出し容器に関するものである。
【発明の概要】
【発明が解決しようとする課題】
【０００２】  これまでスパゲティー等に振りかける筒状容器に入った粉チーズは、使い切るまでの期間中、冷蔵庫や保管場所等が冷温であったりすると塊が出来ることが多々あり、それによって粉チーズが出し口から振り出しにくくなることがある。
【課題を解決するための手段】
【０００３】  本発明は、本体容器内の側面もしくは出し口のある蓋の内側に、粉チーズの塊を元の粉状にするための粉切り羽根を複数形成する。
【発明の効果】
【０００４】  本発明は内側に複数の粉切り羽根を形成したことによって、使用時出し口を下にして筒状容器が何度か上下に振られるため、その都度塊が生じている粉チーズが同様に上下しながら、この複数の羽根を通過し切られるもので、それによって塊のない粉チーズを振り出すことが出来る。
【図面の簡単な説明】
【０００５】
【図１】  上蓋を外した本発明を示す粉チーズ振り出し容器の斜視図
【符号の説明】
【０００６】  １  容器本体
２  容器内側
３  内側側面に形成した複数の粉切り羽根
【図１】
2012116563.tif 000003
【手続補正書】
【提出日】平成23年9月9日(2011.9.9)
【手続補正２】
【補正対象書類名】明細書
【補正対象項目名】０００３
【補正方法】変更
【補正の内容】
【０００３】  本発明は、粉チーズの入る円筒容器内の上方部に、粉チーズの塊を元の粉状にするため、複数からなる切り羽を装置するか、もしくは、複数の極細の金属線を横に渡した装置を設置する。  とする。
【手続補正３】
【補正対象書類名】明細書
【補正対象項目名】０００４
【補正方法】変更
【補正の内容】
【０００４】  発明の効果を、図１で説明すると、固定するための張り出し部（３）を上部縁に形成する円筒部（１）の内側（２）に複数の突き出す切り羽根（４）を形成する本発明の装置は、振り出し口と一体となる粉チーズの入った円筒容器のキャップを外し、その容器内上方に設けることによって、粉チーズ振り出し時、その都度、それによる粉チーズの上下運動が、突き出した切り羽根の刃先を、幾度となく行き来するため、塊の出来た粉チーズを容易に元の粉状にすることが出来る。
【手続補正４】
【補正対象書類名】明細書
【補正対象項目名】０００５
【補正方法】変更
【補正の内容】
【０００５】
【図１】  蓋及び振り出し口と一体となるキャップ下方の、粉チーズの入った振りかけ容器内の上部に設置するための、本発明装置の斜視図。  とする。
【図２】  本発明装置を内側に設けた、振りかけ粉チーズの容器断面図。
【手続補正５】
【補正対象書類名】明細書
【補正対象項目名】０００６
【補正方法】変更
【補正の内容】
【０００６】１  円筒部
２  円筒部内側
３  容器口上部に固定するための張り出し部
４  粉チーズの塊を切るための極薄の切り羽根
５  円筒形振りかけ容器
６  取り外し可能なキャップ
７  粉チーズ振り出し穴
８  振り出し穴用の蓋
９  粉チーズ
【手続補正６】
【補正対象書類名】特許請求の範囲
【補正対象項目名】請求項１
【補正方法】変更
【補正の内容】
【請求項１】
振りかけ容器の内側上方に、粉チーズの塊を切るための複数からなる切り羽根もしくは、極細の金属線を設ける装置及び器具。    とする。
【手続補正８】
【補正対象書類名】図面
【補正対象項目名】全図
【補正方法】変更
【補正の内容】
【図１】
2012116563.tif 000004
【図２】
2012116563.tif 000005
(57)【要約】【課題】  看板に使用されるＬＥＤ照明装置は大型看板に使用するとメタルハライドランプを使用した照明装置に比べ光束が不足するので、看板の下部まで十分な照度をえることができなかった。看板下部まで一様の照度を得るにはＬＥＤ光源の容量を上げる必要があり、その結果光源部が大型で重量が重くなる欠点があった。【解決手段】  大型看板照明として比較的重量を抑えた高ワットのＬＥＤ照明器具を看板上部に設置し、低ワットのＬＥＤ照明器具を看板下部に設置し、看板上部と看板下部とのＬＥＤ照明器具の出力比を３倍以上にして看板面を均一な照度になるようにしたものである。【選択図】図１
2012113276.tif 000002
【特許請求の範囲】
【請求項１】
外照式看板の上部と下部にＬＥＤを光源とする照明器具を取り付け、上部と下部のＬＥＤ光源の出力比を３倍以上にしてなる外照式ＬＥＤ看板照明装置。
【発明の詳細な説明】
【技術分野】
【０００１】  本発明は、ＬＥＤを光源とする外照式看板の照明装置に関するものである。
【背景技術】
【０００２】  一般に、外照式看板は看板の上部にアームのついた照明器具を取り付け、看板面を照射している。照射される看板の高さ方向の長さが短いときは、低ワットの光源で看板下部まで照らすことができるが、看板の高さ方向の長さが長くなると看板下部まで照らすには高ワットの光源が必要になり、光源としてはメタルハライドランプなどが使用されていた。【０００３】  最近、省電力の見地から看板にはＬＥＤを光源とする照明装置が従来のメタルハライドランプに代わって採用されるようになってきた。
【発明の開示】
【発明が解決しようとする課題】
【０００４】  しかし、このような看板に使用されるＬＥＤ照明装置は大型看板に使用するとメタルハライドランプを使用した照明装置に比べ光束が不足するので、看板の下部まで十分な照度をえることができなかった。看板下部まで一様の照度を得るにはＬＥＤ光源の容量を上げる必要があり、その結果光源部が大型で重量が重くなる欠点があった。
【課題を解決するための手段】
【０００５】  本発明は以上の点に鑑み、大型看板照明として比較的重量を抑えた高ワットのＬＥＤ照明器具を看板上部に設置し、低ワットのＬＥＤ照明器具を看板下部に設置し、看板上部と看板下部とのＬＥＤ照明器具の出力比を３倍以上にして看板面を均一な照度になるようにしたものである．【０００６】  例えば、大型看板で光源としてメタルハライドランプの４００Ｗを使用していたものを光源としてＬＥＤを使用すると、大型看板下部まで均一な照度を得るにはＬＥＤ照明器具を看板上部に設置し、１４０Ｗの出力が必要であるが、看板下部に２０Ｗの出力のＬＥＤ照明器具を取り付けると８０ＷのＬＥＤ照明器具を看板上部に取り付ければ均一で、略同一の照度が得られる。この結果出力は合計１００Ｗになり、看板上部に１４０Ｗの照明器具を取り付けるより２９％の省電力になる。
【発明の効果】
【０００７】  本発明によれば、一対のＬＥＤ照明器具を看板に取り付けるとき、看板上部と看板下部に取り付ける照明器具の出力比を３倍以上にすれば、看板上部にのみＬＥＤ照明器具を取り付けるより大幅な省電力と重量低減ができ、看板面の照度も均一にできる。
【発明を実施するための最良の形態】
【０００８】  以下、図面に基づき本発明の実施の形態を説明する。【０００９】  図２は一般の外照式ＬＥＤ看板照明装置の一実施例を示す器具設置図、図１は本発明の一実施例を示す外照式ＬＥＤ看板照明装置の外観図である。【００１０】  一般の外照式ＬＥＤ看板照明装置は図２に示すように、看板１の上部にＬＥＤ照明器具２が取り付けられ看板面を照射している。看板１の高さが高いとＬＥＤ照明器具２は、看板１の下部まで均一な照度を保つため大型で重量が重くかつ出力の高い光源になってしまう。【００１１】  図１は本発明の一実施例を示す外照式ＬＥＤ看板照明装置で、看板１の上部に図１に示すＬＥＤ照明器具２よりも小型で重量の軽いＬＥＤ照明器具３が取り付けられ、看板１の下部にはＬＥＤ照明器具３よりも３倍以上出力の少ないＬＥＤ照明器具４が取り付けられている。【００１２】  下表は図１の外照式ＬＥＤ看板照明装置と図２の外照式ＬＥＤ看板照明装置を同一看板に取り付けたときのＬＥＤの出力と看板面の平均照度を測定したときのデータである。
2012113276.tif 000003
このデータより、ＬＥＤ照明器具２の光源の出力が１４０Ｗの時にはそれと略同等の照度を得るにはＬＥＤ照明器具３とＬＥＤ照明器具４の光源の出力比を４にすることにより達成できる。このとき本発明の消費電力は１００Ｗなので一般の外照式ＬＥＤ看板照明装置より約２９％の省電力になる。【００１３】  また、ＬＥＤ照明器具２の光源の出力が１２０Ｗの時にはそれと略同等の照度を得るにはＬＥＤ照明器具３とＬＥＤ照明器具４の光源の出力比を３にすることにより達成できる。このとき本発明の消費電力は８０Ｗなので一般の外照式ＬＥＤ看板照明装置より約３３％の省電力になる。
【図面の簡単な説明】
【００１４】
【図１】本発明の一実施例を示す外照式ＬＥＤ看板照明装置の外観図。
【図２】一般の一実施例を示す外照式ＬＥＤ看板照明装置の外観図。
【符号の説明】
【００１５】  １・・・看板
２、３，４・・・ＬＥＤ照明器具
【図１】
2012113276.tif 000004
【図２】
2012113276.tif 000005